(57)【要約】      （修正有）【課題】電熱ヒータの発熱による水溜部の熱損傷防止を図ること。【解決手段】水溜部５内に嵌め込まれ、かつ水溜部の内底面と内側面と接触するように置かれるステンレスを含む鋼板の防熱樋６と、この防熱樋内に底から上側に離間して設ける電熱ヒータ７と、この電熱ヒータを覆うよう防熱樋に被せたステンレスを含む鋼板の防熱カバー２４と、防熱樋の外底面側に設けられ、かつ電熱ヒータから伝わる温度を検知して電熱ヒータの通電を遮断する底部用温度スイッチ１２と、水溜部の上部外側面に設けられ、かつ上部上側面の温度を検知して電熱ヒータの通電を遮断する側面用温度スイッチ２３を有する。【選択図】図５
2005296546.tif 000002
【特許請求の範囲】
【請求項１】
洗浄槽と、この洗浄槽の下側に設けられる合成樹脂で作られた洗浄槽ベースと、この洗浄槽ベースに回転自在に備えられ、かつ前記洗浄槽内に洗浄水を噴射する回転噴射ノズルと、この回転噴射ノズルに洗浄水を加圧供給する洗浄ポンプと、前記洗浄槽ベースの下方に下向に窪むように形成される水溜部と、この水溜部内に嵌め込まれ、かつ水溜部の内底面と内側面と接触するように置かれるステンレスを含む鋼板の防熱樋と、この防熱樋内に底から上側に離間して設ける電熱ヒータと、この電熱ヒータを覆うよう前記防熱樋に被せたステンレスを含む鋼板の防熱カバーと、前記防熱樋の外底面側に設けられ、かつ電熱ヒータから伝わる温度を検知して電熱ヒータの通電を遮断する底部用温度スイッチと、前記水溜部の上部外側面に設けられ、かつ上部上側面の温度を検知して電熱ヒータの通電を遮断する側面用温度スイッチを有することを特徴とする食器洗浄機。
【請求項２】
請求項１記載の食器洗浄機にあって、
前記側面用温度スイッチが設けられる前記上部外側面は、前記電熱ヒータの上面よりも上方に位置することを特徴とする食器洗浄機。
【請求項３】
請求項２記載の食器洗浄機にあって、
前記電熱ヒータは、前記防熱樋の内底部より立ち上がる熱電導性の良いヒータ支持部材で支持し、ヒータ支持部材の下方に前記底部用温度スイッチが位置することを特徴とする食器洗浄機。
【請求項４】
請求項３記載の食器洗浄機にあって、
前記底部用温度スイッチが位置する前記水溜部の底部の部位には、底部用温度スイッチを置く切欠き穴が設けられ、この切欠き穴の周りを取り巻く水溜部の上底面と前記防熱樋の外底面との間に水密用シールを介在したことを特徴とする食器洗浄機。
【請求項５】
請求項１から４の何れか一つに記載された食器洗浄機にあって、
前記防熱カバーは、水溜部の内側面に接触し、かつ下向きに延在する下向側辺部を有し、
前記側辺部の外側に前記側面用温度スイッチが位置することを特徴とする食器洗浄機。
【請求項６】
請求項１から５の何れか一つに記載された食器洗浄機にあって、
電熱ヒータ、底部用温度スイッチ、側面用温度スイッチを直列に接続したことを特徴とする食器洗浄機。
【請求項７】
請求項１から６の何れか一つに記載された食器洗浄機にあって、
底部用温度スイッチは、底部用温度ヒューズ、底部用サーモスタットを含み、
側面用温度スイッチは、側面用サーモスタットを含むことを特徴とする食器洗浄機。
【請求項８】
請求項１から７の何れか一つに記載された食器洗浄機にあって、
前記防熱カバーは通水／通気用の孔が数多く設けられ、
前記孔の数は、防熱カバーの長手方向両端側では中央部よりも多くしたことを特徴とする食器洗浄機。
【発明の詳細な説明】
【技術分野】
【０００１】
本発明は、洗浄槽の下部に溜めた水を加熱して温水にし、この温水を用いて洗浄槽内に収容された食器類の洗浄を行う食器洗浄機に関する。
【背景技術】
【０００２】
この種の食器洗浄機は、洗浄槽と、この洗浄槽の下側に設けられた底部と、この底部に回転自在に備えられ、かつ前記洗浄槽内に洗浄水を噴射する回転噴射ノズルと、この回転噴射ノズルに洗浄水を加圧供給する洗浄ポンプと、前記洗浄槽の底部に落ち込むように形成される水溜部と、電熱ヒータが備わる構成を有する。参考までに特許文献１を例示する。
【０００３】
【特許文献１】特開２００２−２１９０８７号公報
【発明の開示】
【発明が解決しようとする課題】
【０００４】
上記電熱ヒータは洗浄水や乾燥空気の加熱時に通電されるが、誤動作等により水溜部が空のときに通電されると温度が異常に高くなるので、サーモスタットや温度ヒューズの温度上昇防止手段を備えて温度上昇を抑えるようにしている。
【０００５】
しかし、電熱ヒータが洗浄水に半分程度浸かる（電熱ヒータの上面側だけが洗浄水に浸からない状態）ときに誤動作による通電が起きても、水溜部の底側は温度が異常に高くならない。このため、水溜部の底部に備わる温度上昇防止手段が作動しないので、電熱ヒータの上側になる水溜部の上部は電熱ヒータの上半分の発熱を受けて異常に高い温度になり、合成樹脂で作られている水溜部を傷める。
【０００６】
本発明は、上記の問題に鑑み、電熱ヒータの発熱による水溜部の熱損傷防止を図ることを目的とする。
【課題を解決するための手段】
【０００７】
本発明は、洗浄槽と、この洗浄槽の下側に設けられる合成樹脂で作られた洗浄槽ベースと、この洗浄槽ベースに回転自在に備えられ、かつ前記洗浄槽内に洗浄水を噴射する回転噴射ノズルと、この回転噴射ノズルに洗浄水を加圧供給する洗浄ポンプと、前記洗浄槽ベースに下向に窪むように形成される水溜部と、この水溜部内に嵌め込まれ、かつ水溜部の底面と側面と接触するように置かれるステンレスの防熱樋と、この防熱樋内に底から上側に離間して設ける電熱ヒータと、この電熱ヒータを覆うよう前記防熱樋に被せたステンレスの防熱カバーと、前記防熱樋の下面側に設けられ、かつ防熱樋の温度を検知して電熱ヒータの通電を遮断する底部用温度スイッチと、前記水溜部の上部側面の外側に設けられ、かつ上部側面の温度を検知して電熱ヒータの通電を遮断する側面用温度スイッチを有することを特徴とする。
【発明の効果】
【０００８】
本発明によれば、水溜部の上部側面の温度を側面用温度スイッチで検知して電熱ヒータの通電を遮断するので、水溜部の熱損傷防止が図られる。
【発明を実施するための最良の形態】
【０００９】
本発明の実施形態について実施形態に係わる実施例を引用して説明する。
【００１０】
図１から図６に沿って食器洗浄機の構造から述べる。
【００１１】
食器洗浄機の外枠１内には、洗浄槽が備わる。洗浄槽は、上部の洗浄槽２と下部の洗浄槽ベース３を有する。上部の洗浄槽２と下部の洗浄槽ベース３は合成樹脂で形成され、上部の洗浄槽２の内面には、ステンレスの薄い鋼板が貼り付けるように設けられている。上部の洗浄槽２の下端と、下部の洗浄槽ベース３の上端を結合して洗浄槽は形成される。
【００１２】
洗浄槽は前面に開口部を有し、この開口部を開／閉する上下扉（図示せず）が備わる。
【００１３】
洗浄槽ベース３には、回転噴射ノズル４が備わる。回転噴射ノズル４は、回転しながら洗浄槽内に洗浄水を噴射して食器かごに収まる食器類の洗浄を行う。洗浄ポンプ（図示せず）は、洗浄槽ベース３の下方に置かれ、回転噴射ノズル４に洗浄水を加圧供給する。
【００１４】
水溜部５は、洗浄槽ベース３に下向に窪むように形成される。水溜部５は、洗浄槽ベースの手前側から左側に亘って窪みになっている。この水溜部５は、回転噴射ノズル４が設けられるところよりも低く、洗浄水が集まって溜まる。
【００１５】
手前側の水溜部５には、ステンレスの鋼板で作られた防熱樋６が嵌め込まれる。防熱樋６は底部が水溜部５の内底面に、上向きと延在する上向側辺部１０が水溜部５の内側面と接触するように置かれる。防熱樋６は長手方向両端が開口になっている。また防熱樋６の左側の水溜部５に臨むところも開口になっている。
【００１６】
電熱ヒータ７は、防熱樋６に内置される。電熱ヒータ７は、ヒーズヒータで形成され、折り返して這うような形状を有する。電熱ヒータ７の引出し端子８は、断熱部材９を介して水溜部５の外部に引き出される。
【００１７】
ヒータ支持部材２０、２１は、電熱ヒータ７が防熱樋６に底から上側に離間して置かれるように支持する。ステンレス等の熱伝導性の良い金属材料で作られたヒータ支持部材２０、２１は防熱樋６に内底面に溶接で固定される。電熱ヒータ７の折り返し側端部をヒータ支持部材２０、２１で別々に支持するのは、熱膨張による電熱ヒータの暴れを抑えるためである。
【００１８】
底部用温度ヒューズ、底部用サーモスイッチを含む底部用温度スイッチは、防熱樋６の外底面側でヒータ支持部材が固定された裏面側位置に設けられる。この底部用温度スイッチは、図１〜図６には図示されていないが、図７を引用して後で詳しく述べる。
【００１９】
底部用温度スイッチが防熱樋６の外底面側に設けられるので、ここに対向する水溜部５の部位には切欠き穴（図示せず）を形成する。この切欠き穴を設けることで、防熱樋６の外底面を水溜部５の内底面に接合できる。
【００２０】
この切欠き穴の水漏れは、切欠き穴の周りを取り巻く水溜部５の上底面と防熱樋６の外底面との間に環状の水密用シール（図示せず）を介在することにより、防がれる。ネジ２２で、防熱樋６の水密用シールの近傍を水溜部５に締め付けることにより、水密用シール６による水密性はさらに良くなる。
【００２１】
底部用温度スイッチは、シリコーンゴムを介在することにより防熱樋６との接合に隙間がなくなり、熱伝導性が良くなる。電熱ヒータ７の発熱は、図４に示すようにヒータ支持部材２０、２１を介して底部用温度スイッチに良く伝わる。
【００２２】
側面用サーモスイッチ２３を含む側面用温度スイッチは、図５に示すように水溜部の上部外側面に設けられる。側面用温度スイッチの設けられる位置（上部外側面）は、電熱ヒータ７の上方になる。この側面用温度スイッチも、底部用温度スイッチと同様にシリコーンゴムを介在して伝熱性が良くなるように取り付けられる。
【００２３】
防熱カバー２４が電熱ヒータ７を覆うように防熱樋６に被せられる。防熱カバー２４はステンレス等の鋼板で作られ、天板になる上面部には通水／通気用の孔２５が数多く設けられる。孔２５の数は、防熱カバー２４の長手方向両端側では中央部よりも多く形成される。
【００２４】
防熱カバー２４の両側には、下向きに延在する下向側辺部２６が防熱カバー２４の長手方向に沿う形成される。下向側辺部２６は、水溜部５の内側面と接触するように置かれ、かつ下向側辺部２６の下端側は、防熱樋６の上向側辺部１０の上端側とが横並びに重なる。こうして、防熱樋６と防熱カバー２４は、電熱ヒータ７を周りから被い、電熱ヒータ７が放つ輻射熱を遮って合成樹脂で形成された水溜部５を輻射熱から保護する。
【００２５】
しかし、水溜部５に水がなく、送風も止まる誤動作時には、電熱ヒータ７の発熱が防熱樋６ないし防熱カバー２４を介して水溜部５の内底面および内側面に伝わり、水溜部５に熱損傷を与える。水溜部５が、このような高温になる前に、底面用温度スイッチや側面用温度スイッチがオフ作動し、電熱ヒータ７の通電を止め、水溜部５の熱損傷が保護されるようになっている。
【００２６】
前述した防熱カバー２４の孔２５は、電熱ヒータ７の発熱で生ずる熱気の対流が通過上昇する孔である。この孔２５は、防熱カバー２４の長手方向両端側の方が中央部よりも多く形成されているので、通過上昇する熱気の温度は、防熱カバー２４の全域に平均化され、極端に高温の熱気が偏って生じない。このため、防熱カバー２４の上側に存在する回転噴射ノズル４に熱損傷を与えない。
【００２７】
なお、防熱樋６は長手方向両端が開口になっている。また防熱樋６の左側の水溜部５に臨むところも開口になっている。この開口により、防熱樋６の長手方向両端は、空気が入り易く、中央部よりも孔の数を多することで、熱気の温度の偏りを抑えることができる。
【００２８】
送風噴出部２７は、図２、図３に示すように防熱カバー２４の左上側付近の洗浄槽ベース３に設けられる。送風機より送られる温風や冷風が送風噴出部２７から洗浄槽内に噴出され、食器類の乾燥をして図１に示す上部の洗浄槽２に設けられた排気口２８から食器洗浄機の外に排気される。
【００２９】
操作パネル２９は、図１、図６に示すように各種の押しボタンが備わる。この押しボタンを操作して各種コースの設定や運転を行わせる。また、各種コースの設定を示す設定表示や運転状態を示す運転表示が操作パネル２９で行われる。
【００３０】
食器洗浄機の制御回路について図７に沿って説明する。
【００３１】
制御回路は、マイクロコンピュータ４０を中心に構成される。商用電源４１、コンセント４２、直流電源回路４３を有し、この直流電源回路４３で、生成された直流がマイクロコンピュータ４０に給電される。
【００３２】
マイクロコンピュータ４０には、サーミスタ４４、ノズル切り替えスイッチ４５、溢水用水位センサ４６、水位センサ４７が接続され、それぞれの感知／検知信号がマイクロコンピュータ４０に読み込まれる。サーミスタ４４は、底部用温度スイッチと同様、防熱樋６の外底面側に接合するように設けられる。
【００３３】
各種の駆動回路は、商用電源４１側に接続され、マイクロコンピュータ４０の駆動指示に応じて駆動制御が行われる。
【００３４】
電熱ヒータ７は、底部用温度ヒューズ１１、底部用サーモスイッチ１２、側面用サーモスイッチ２３、およびヒータ用リレー６０の開閉接点６２を介して商用電源４１に接続される。給水弁６３は、給水弁用リレー６４の開閉接点６５を介して商用電源４１に接続される。排水ポンプを兼ねた洗浄ポンプのポンプモータ６６は、洗浄用リレー６７の開閉接点６８を介して商用電源４１に接続される。またポンプモータ６６は、排水用リレー６９の開閉接点７０を介して商用電源４１に接続される。
【００３５】
送風用ファンのモータ８０は、送風用リレー８１の開閉接点８２、トランス８３を介して商用電源４１に接続される。ノズル切換用モータ８４は、ノズル切換用リレー８５の開閉接点８６を介して商用電源４１に接続される。
【００３６】
電熱ヒータ７の通電は、ヒータ用リレー６０のコイルが励磁され、開閉接点６２が閉じて行われる。
【００３７】
給水弁６３の開放は、給水弁用リレー６４のコイルが励磁され、開閉接点６５が閉じて行われる。
【００３８】
ポンプモータ６６の運転は、洗浄用リレー６７または排水用リレー６９のコイルが励磁され、開閉接点６８または７０が閉じて行われる。
【００３９】
送風用ファンのモータ８０の運転は、送風用リレー８１のコイルが励磁され、開閉接点８２が閉じて行われる。
【００４０】
ノズル切換用モータ８４の運転は、ノズル切換用リレー８５のコイルが励磁され、開閉接点８６が閉じて行われる。
【００４１】
食器洗浄機の運転は、図８に示すフローに沿って実行される。このフローは、通常運転の流れである。
【００４２】
操作パネル２９のスタート押しボタンが押されると、食器洗浄機の運転が開始する。
【００４３】
残水の排水が行われてから給水に移行する。給水容量の検知が行われ、所定容量になった加熱洗浄が実行される。加熱洗浄が終わったら排水、給水が行われ、すすぎ１が行われる。再度、排水、給水が行われ、すすぎ２が実行される。再び、排水、給水が行われ、温水すすぎの後、排水、温風乾燥、冷風乾燥を経て全ての洗浄乾燥の運転が終了する。
【００４４】
斯かる洗浄乾燥の運転で、底部用温度スイッチ／側部用温度スイッチの作動について図９を加えて説明する。
【００４５】
図９は、水溜部５に洗浄水がなく、送風用ファンの運転も行われない誤動作のときのシーズヒータ（電熱ヒータ７）と、サーモスタット部（底部用サーモスイッチ１２）の温度推移を示している。
【００４６】
通常の運転では、このような異常に高い高温には至らない。定常の運転では、サーミスタ４４の温度検知で洗浄乾燥の運転が実行され、底部用サーモスイッチ１２、底部用温度ヒューズ１１、側面用サーモスイッチ２３の作動は、生じない。
【００４７】
さて、水溜部５に洗浄水が無かったり、底に僅かな残水が残っている状態のもとで、マイクロコンピュータ４０の誤作動等により電熱ヒータ７に通電されると、電熱ヒータ７は温度上昇を続け、７００℃のところで、底部用サーモスイッチ１２がオフする。底部用サーモスイッチ１２のオフ温度は、９１℃程度である。底部用サーモスイッチ１２のオフ温度は、８５℃に設定されているが、システリシス分の遅れにより９１℃程度になるのである。
【００４８】
底部用サーモスイッチ１２のオフで、電熱ヒータ７の通電が止み、電熱ヒータ７の温度降下で、底部用サーモスイッチ１２が６５℃を下回ると、底部用サーモスイッチ１２はオンして電熱ヒータ７の温度上昇は再び行われる。この前に、マイクロコンピュータ４０の誤作動等が解消されていると、底部用サーモスイッチ１２がオンして電熱ヒータ７に再通電されることはない。
【００４９】
マイクロコンピュータ４０の誤作動等が解消されていなければ、電熱ヒータ７が７００℃に達するあたりで、底部用サーモスイッチ１２がオフする。この底部用サーモスイッチ１２のオン／オフにより、水溜部５の内底面および内側面は９１℃よりも高くならないので、合成樹脂で作られた水溜部５の熱損傷が抑えられる。
【００５０】
また、底部用温度ヒューズ１１は、溶断作動温度が９１℃よりも高い温度に設定されているので、底部用サーモスイッチ１２が正常に作動するときには溶断作動しない。底部用サーモスイッチ１２が９１℃で作動しないで、更に温度が上昇したときに底部用温度ヒューズ１１の溶断作動が行われ、水溜部５の熱損傷が抑えられる二重安全の構えが講じられている。
【００５１】
水溜部５の残水が半分程度、つまり、電熱ヒータ７の下側が洗浄水に浸かり、上側が洗浄水の水面より露出している状態で、電熱ヒータ７に通電される誤動作が生じても、底部用サーモスイッチ１２のオフ作動、底部用温度ヒューズ１１の溶断作動は生じない。代わって側面用サーモスイッチ２３がオフ作動する。
【００５２】
すなわち、電熱ヒータ７の下半分が洗浄水に浸かる下方側は防熱樋６、底部用サーモスイッチ１２を含め、温度上昇が少ない。それに反し、洗浄水から露出する電熱ヒータ７の上側が放つ高温の輻射熱で防熱カバー２４は高温に加熱される。この高温の熱は防熱カバー２４の下向側辺部２６を介して水溜部５の内側面に伝わり、さらに水溜部５の外側面に当接する側面用サーモスイッチ２３に伝わる。側面用サーモスイッチ２３は、底部用サーモスイッチ１２と同じ、９１℃でオフするものを用いる。オンする温度も底部用サーモスイッチ１２と同じ、６５℃のものを用いることで、底部用／側面用の共用化を図ることができる。水溜部５の内側面／外側面の肉厚は薄いので、内側面／外側面の温度差はほとんど無い。
【００５３】
このように、側面用サーモスイッチ２３のオン／オフの作動により、水溜部５の上半分が９１℃を越える高い温度にならなく、合成樹脂で作られた水溜部５の熱損傷は抑えられる。
【００５４】
なお、水溜部５に残る洗浄水は、側面用サーモスイッチ２３のオン／オフに伴う電熱ヒータ７の発熱により蒸発して減水する。残水が少なくなって、電熱ヒータ７の下面にも接触しなくなると、電熱ヒータ７による加熱蒸発が止まり、その残水は蒸発されずに残る。
【図面の簡単な説明】
【００５５】
【図１】本発明の実施形態に係わる実施例を示すもので、上／下扉が外された食器洗浄機を前側から見た斜視図。
【図２】本発明の実施形態に係わる実施例を示すもので、洗浄槽ベースを上から見た斜視図。
【図３】本発明の実施形態に係わる実施例を示すもので、洗浄槽ベース（防熱カバーは一部欠除）を上から見た斜視図。
【図４】本発明の実施形態に係わる実施例を示すもので、電熱ヒータの支持個所を示す斜視図。
【図５】本発明の実施形態に係わる実施例を示すもので、図２のＡ―Ａ断面図。
【図６】本発明の実施形態に係わる実施例を示すもので、操作パネルを示す図。
【図７】本発明の実施形態に係わる実施例を示すもので、食器洗浄機の制御回路を示す図。
【図８】本発明の実施形態に係わる実施例を示すもので、食器洗浄機の運転のフローを示す図。
【図９】本発明の実施形態に係わる実施例を示すもので、シーズヒータとサーモスタットの温度推移関係を示す図。
【符号の説明】
【００５６】
２…上部の洗浄槽と、３…洗浄槽ベース、４…回転噴射ノズル、５…水溜部、６…防熱樋、７…電熱ヒータと、２４…防熱カバーと、１１…底部用温度ヒューズ、１２…底部用サーモスイッチ、２３…側面用サーモスイッチ。
【図１】
2005296546.tif 000003
【図２】
2005296546.tif 000004
【図３】
2005296546.tif 000005
【図４】
2005296546.tif 000006
【図５】
2005296546.tif 000007
【図６】
2005296546.tif 000008
【図７】
2005296546.tif 000009
【図８】
2005296546.tif 000010
【図９】
2005296546.tif 000011